(57)【要約】【課題】放送素材をサーバ装置に収録する際に、収録操作に要するオペレータの作業負担を軽減し、しかも品質の良い放送素材を収録し得る放送素材記録システムを提供する。【解決手段】制御装置１０において、カート装置２０に装填された記録媒体Ｍに付与される素材コード及び素材ＩＮ点情報を読み込んで、管理テーブル中に収録情報に対応付けて自動登録し、素材サーバ３０に対する元素材の収録時に、管理テーブルに基づいてカート装置２０に装填されている記録媒体Ｍ中の元素材を再生して素材サーバ３０への収録処理を実行するようにしている。このとき、カート装置２０において、素材サーバ３０に対する元素材の収録処理の実行に先立ち、該当する元素材の信号レベルを基準レベルに自動調整するようにしている。【選択図】      図１
2008311783.tif 000002
【特許請求の範囲】
【請求項１】
１または複数の放送素材信号が記録されかつ当該放送素材信号を特定する素材ＩＤ及び当該放送素材信号の先頭位置を表す頭出し位置情報が付与された記録媒体が１または複数個着脱自在に装填されるカート装置と、
このカート装置を制御して任意の放送素材信号を対応する先頭位置から再生させてサーバ装置に記録させる制御装置とを具備し、
前記カート装置は、
前記サーバ装置に放送素材信号を記録するときに、前記記録媒体から該当する放送素材信号を再生し、この再生した放送素材信号の信号レベルを予め決められた基準レベルに補正して前記サーバ装置に記録するレベル補正手段を備え、
前記制御装置は、
前記カート装置に前記記録媒体が装填された場合に、該記録媒体から素材ＩＤ及び頭出し位置情報を読み込む読み込み手段と、
この読み込み手段により読み込まれた素材ＩＤ及び頭出し位置情報と、前記サーバ装置に対する記録の有無を示す記録管理情報とを対応付けた管理テーブルを作成するテーブル作成手段と、
前記サーバ装置に対する放送素材信号の記録時に、該当する放送素材信号の素材ＩＤに基づいて前記管理テーブルを参照し、この参照結果に基づいて前記サーバ装置に対する放送素材信号の記録処理の実行・停止を制御する制御手段とを備えたことを特徴とする放送素材記録システム。
【請求項２】
前記制御手段は、前記管理テーブル中の放送素材信号について、前記サーバ装置に対する記録管理情報をユーザに報知することを特徴とする請求項１記載の放送素材記録システム。
【請求項３】
前記制御手段は、前記サーバ装置に対する放送素材信号の記録後に、前記管理テーブル中の当該放送素材信号に対応する記録管理情報の登録内容を更新することを特徴とする請求項１記載の放送素材記録システム。
【請求項４】
１または複数の放送素材信号が記録されかつ当該放送素材信号を特定する素材ＩＤ及び当該放送素材信号の先頭位置を表す頭出し位置情報が付与された記録媒体が１または複数個着脱自在に装填されるカート装置と、このカート装置を制御して任意の放送素材信号を対応する先頭位置から再生させてサーバ装置に記録させる制御装置とを備えたシステムで使用される放送素材記録制御方法であって、
前記カート装置に前記記録媒体が装填された場合に、前記制御装置により該記録媒体から素材ＩＤ及び頭出し位置情報を読み込み、
この読み込まれた素材ＩＤ及び頭出し位置情報と、前記サーバ装置に対する記録の有無を示す記録管理情報とを対応付けた管理テーブルを前記制御装置で作成し、
前記サーバ装置に対する放送素材信号の記録時に、該当する放送素材信号の素材ＩＤに基づいて前記管理テーブルを参照し、この参照結果から前記サーバ装置に記録されていない場合に、前記記録媒体から該当する放送素材信号を再生し、この再生した放送素材信号の信号レベルを予め決められた基準レベルに補正して前記サーバ装置に記録し、前記サーバ装置に記録済みの場合に、前記サーバ装置に対し記録済みである旨をユーザに報知することを特徴とする放送素材記録制御方法。
【発明の詳細な説明】
【技術分野】
【０００１】
この発明は、放送局内において、例えばカート装置に装填される磁気テープやディスク中の放送素材をビデオサーバに記録するための放送素材記録システム及びこのシステムで使用される放送素材記録制御方法に関する。
【背景技術】
【０００２】
周知のように、例えばＴＶ（テレビジョン）放送やラジオ放送の映像／音声等の放送素材を送出する送出システムにあっては、放送素材を記録（以後、収録と称する）し、任意のタイミングで放送素材を再生するビデオサーバが使用されている。
【０００３】
ところで、放送局では、ＶＴＲ（Video Tape Recorder）テープ等の媒体に記録された放送素材を再生してビデオサーバのメモリに書き込みを行っている。ここで、１本のテープに複数素材が記録されている場合に、それぞれの素材の収録操作を操作端末を用いて手動で行なう必要がある。さらに、操作端末のオペレータは、ビデオサーバに収録すべく放送素材が切り替わるごとに、ＶＴＲへ足を運んでテープの再装填を行う必要があり、ビデオサーバへの収録までに多くの手間と時間がかかってしまうことになり、しかも収録作業の大半が人手により行われるため、人為的ミスが発生することが多い。
【０００４】
なお、従来では、カート装置に複数の放送素材を記録し管理しておき、このカート装置によりビデオサーバに対し未収録の放送素材を自動的に収録する記録再生システムが提案されている（例えば、特許文献１）。
【特許文献１】特開平６−１３９６７１号公報。
【発明の開示】
【発明が解決しようとする課題】
【０００５】
しかしながら、上記記録再生システムでは、カート装置からの放送素材をビデオサーバに収録する場合に、オペレータが再度ビデオサーバから放送素材を再生してレベルチェック等を行う必要がある。
【０００６】
そこで、この発明の目的は、放送素材をサーバ装置に収録する際に、収録操作に要するオペレータの作業負担を軽減し、しかも品質の良い放送素材を収録し得る放送素材記録システム及びこのシステムで使用される放送素材記録制御方法を提供することにある。
【課題を解決するための手段】
【０００７】
上記目的を達成するために、この発明に係わる放送素材記録システムは、１または複数の放送素材信号が記録されかつ当該放送素材信号を特定する素材ＩＤ及び当該放送素材信号の先頭位置を表す頭出し位置情報が付与された記録媒体が１または複数個着脱自在に装填されるカート装置と、このカート装置を制御して任意の放送素材信号を対応する先頭位置から再生させてサーバ装置に記録させる制御装置とを具備し、カート装置は、サーバ装置に放送素材信号を記録するときに、記録媒体から該当する放送素材信号を再生し、この再生した放送素材信号の信号レベルを予め決められた基準レベルに補正してサーバ装置に記録するレベル補正手段を備え、制御装置は、カート装置に記録媒体が装填された場合に、該記録媒体から素材ＩＤ及び頭出し位置情報を読み込む読み込み手段と、この読み込み手段により読み込まれた素材ＩＤ及び頭出し位置情報と、サーバ装置に対する記録の有無を示す記録管理情報とを対応付けた管理テーブルを作成するテーブル作成手段と、サーバ装置に対する放送素材信号の記録時に、該当する放送素材信号の素材ＩＤに基づいて管理テーブルを参照し、この参照結果に基づいてサーバ装置に対する放送素材信号の記録処理の実行・停止を制御する制御手段とを備えるようにしたものである。
【０００８】
この構成によれば、カート装置に装填された記録媒体に付与される素材ＩＤ及び頭出し位置情報は管理テーブル中に記録管理情報に対応付けて登録され、サーバ装置に対する放送素材信号の記録時に、管理テーブルに基づいてカート装置に装填されている記録媒体中の放送素材信号が再生されてサーバ装置への記録処理が行われる。
【０００９】
従って、放送素材信号を記録した記録媒体をカート装置に装填するだけで、サーバ装置に対する放送素材信号の収録処理が人手を要することなく全て自動的に行われることになり、収録操作に要するユーザの作業負担を軽減できる。
【００１０】
また、サーバ装置に対する放送素材信号の記録処理の実行に先立ち、該当する放送素材信号の信号レベルが基準レベルに自動調整されるので、サーバ装置に対する放送素材信号の記録上の信頼性をさらに高めることができる。
【００１１】
制御手段は、管理テーブル中の放送素材信号について、サーバ装置に対する記録管理情報をユーザに報知することを特徴とする。
【００１２】
この構成によれば、ユーザがカート装置に装填される記録媒体中の各放送素材信号の記録管理情報を確認することができる。
【００１３】
制御手段は、サーバ装置に対する放送素材信号の記録後に、管理テーブル中の当該放送素材信号に対応する記録管理情報の登録内容を更新することを特徴とする。
【００１４】
この構成によれば、管理テーブル中の記録管理情報を、ユーザが手操作で更新処理をすることなく、自動的に常に最新の情報に更新することができる。
【発明の効果】
【００１５】
以上詳述したようにこの発明によれば、放送素材をサーバ装置に収録する際に、収録操作に要するオペレータの作業負担を軽減し、しかも品質の良い放送素材を収録し得る放送素材記録システム及びこのシステムで使用される放送素材記録制御方法を提供することができる。
【発明を実施するための最良の形態】
【００１６】
以下、この発明の実施形態について図面を参照して詳細に説明する。  
図１は、この発明に係わる放送素材記録システムの一実施形態を示すブロック構成図である。
【００１７】
図１のシステムにおいて、制御装置１０を中心に、カート装置２０と、素材サーバ３０とがバス（図示せず）により接続されている。制御装置１０は、カート装置２０及び素材サーバ３０の記録再生を制御可能とする。
【００１８】
カート装置２０には１または複数の放送素材（元素材と称する）を記録した記録媒体Ｍが着脱自在に装填可能になっている。記録媒体Ｍは、随時書き込み読み出しが可能な磁気テープやＤＶＤ（デジタルバーサタイルディスク）であり、元素材を特定する素材コードと素材の開始位置となる素材ＩＮ点のタイムコードを記載したバーコードが貼られている。
【００１９】
一方、制御装置１０は、カート装置２０及び素材サーバ３０の制御動作に係わる通常の制御機能に加え、バーコード読み取り部１１と、テーブル作成部１２と、素材送出制御部１３とを備えている。
【００２０】
バーコード読み取り部１１は、カート装置２０に記録媒体Ｍが装填された場合に、記録媒体Ｍに貼られたバーコードを読み込む。テーブル作成部１２は、図２に示すように、バーコード読み取り部１１により読み込まれた素材コード及び素材ＩＮ点情報と、素材サーバ３０に対する収録の有無を示す収録情報とを対応付けた管理テーブルを作成する。
【００２１】
素材送出制御部１３は、素材サーバ３０に対する放送素材の収録時に、該当する放送素材の素材コードに基づいて管理テーブルを参照し、この参照結果に基づいて素材サーバ３０に対する放送素材の収録処理の実行・停止を制御する。また、管理テーブル中の収録情報を素材コードと共にカート装置２０により表示させる。このとき、素材コードに対応するＬＥＤ(Light Emitting Diode)の点灯或いは点滅を使用する。
【００２２】
一方、カート装置２０は、レベル補正部２１を備えている。レベル補正部２１は、素材サーバ３０に放送素材を収録するときに、該当する放送素材を再生し、この再生した放送素材の信号レベルを予め決められた基準レベルに補正して素材サーバ３０に収録する。
【００２３】
次に、上記構成によるシステムの動作を説明する。図３は、制御装置１０の制御動作手順とその内容を示すフローチャートである。
【００２４】
ユーザが搬入された記録媒体Ｍをカート装置２０にセットしたとする。そうすると、制御装置１０は、カート装置２０にセットされた記録媒体Ｍに貼られたバーコードを読み込み（ステップＳＴ３ａ）、バーコード中の素材コード及び素材ＩＮ点情報を未収録を示す情報に対応付けて管理テーブルに登録する（ステップＳＴ３ｂ）。このとき、素材コードと同一のコードが管理テーブル中に存在するか否かをチェックし、同一コードが存在し、収録済みを示す場合には、収録済みを示す情報に対応付けて登録する。
【００２５】
そして、上位システム（図示せず）から収録指示が与えられると、制御装置１０は管理テーブル中の該当する素材コードをチェックし、収録済みであるか否かを判定する（ステップＳＴ３ｃ）。そして、該当する元素材が未収録であれば（Ｎｏ）、管理テーブル中の素材ＩＮ点情報を元に元素材の頭出しを行い、映像音声レベルをチェックし、レベル補正を行った後、素材サーバ３０への収録処理を実行する（ステップＳＴ３ｄ）。
【００２６】
そして、上記元素材の収録後に、制御装置１０は管理テーブルに登録中の該当する元素材の収録情報の内容を「未収録」から「収録済み」に更新する（ステップＳＴ３ｅ）。
【００２７】
一方、上記ステップＳＴ３ｃにおいて、該当する元素材が収録済みであった場合（Ｙｅｓ）、制御装置１０はその旨のメッセージを素材コードと共にカート装置２０にＬＥＤにより表示させる（ステップＳＴ３ｆ）。また、収録ＮＧの場合には、収録ＮＧを示すＬＥＤ色が点灯する。
【００２８】
従って、この表示によりユーザは該当する元素材の収録状況をリアルタイムに知ることができる。
【００２９】
また、自動収録後のプレビューで、再度映像音声レベルの補正を行うこともできる。
【００３０】
以上のように上記実施形態では、制御装置１０において、カート装置２０に装填された記録媒体Ｍに付与される素材コード及び素材ＩＮ点情報を読み込んで、管理テーブル中に収録情報に対応付けて自動登録し、素材サーバ３０に対する元素材の収録時に、管理テーブルに基づいてカート装置２０に装填されている記録媒体Ｍ中の元素材を再生して素材サーバ３０への収録処理を実行するようにしている。このとき、カート装置２０において、素材サーバ３０に対する元素材の収録処理の実行に先立ち、該当する元素材の信号レベルを基準レベルに自動調整するようにしている。
【００３１】
従って、元素材を記録した記録媒体Ｍをカート装置２０に装填するだけで、素材サーバ３０に対する元素材の収録処理が人手を要することなく全て自動的に行われることになり、これにより収録操作に要するユーザの作業負担を軽減できる。また、カート装置２０への記録媒体Ｍのセット、取り出し作業が１日にまとめて行えるため、作業時間の短縮／コストダウンにつながる。
【００３２】
また、素材サーバ３０に対する元素材の収録処理の実行に先立ち、該当する元素材の信号レベルが基準レベルに自動調整されるので、素材サーバ３０に対する元素材の収録上の信頼性をさらに高めることができる。
【００３３】
さらに、収録情報の登録内容の更新が自動的に行われる。このため、管理テーブル中の収録情報を、ユーザが手操作で更新処理をすることなく、自動的に常に最新の情報に更新することができる。
【００３４】
なお、この発明は上記実施形態に限定されるものではない。例えば、上記実施形態では、収録情報の登録内容の更新を自動的に行うようにしたが、ユーザの更新指示を待って行うようにしてもよい。
【００３５】
また、上記実施形態では、ＬＥＤにより素材コードに対応する収録情報を報知する例について説明したが、ＬＣＤ（Liquid Crystal Display）等により収録情報を素材コードと共に表示するようにしてもよい。
【００３６】
その他、制御装置の機能構成、素材サーバの種類、素材サーバへの元素材の収録を行う際の制御装置の制御手順とその内容、管理テーブルの内容等についても、この発明の要旨を逸脱しない範囲で種々変形して実施できる。
【図面の簡単な説明】
【００３７】
【図１】この発明に係わる放送素材記録システムの一実施形態を示すブロック構成図。
【図２】同実施形態の制御装置に記憶保持される管理テーブルの登録内容の一例を示す図。
【図３】同実施形態の制御装置の制御動作手順とその内容を示すフローチャート。
【符号の説明】
【００３８】
１０…制御装置、１１…バーコード読み取り部、１２…テーブル作成部、１３…素材送出制御部、２０…カート装置、２１…レベル補正部、３０…素材サーバ、Ｍ…記録媒体。
【図１】
2008311783.tif 000003
【図２】
2008311783.tif 000004
【図３】
2008311783.tif 000005